(57)【要約】【課題】便器本体回りの外観を損なうことなく、床面への水の滴下をより生じない便器洗浄装置を提供する。【解決手段】便器洗浄装置１において、給水管１０は、流入口１１が下方を向く直線状の第１給水管２０と、第１給水管２０と直交する直線状の接続管３０と、流出口１２が下方を向くように接続管３０と直交し、バキュームブレーカ機構７０が設けられた直線状の第２給水管４０とを有する。バキュームブレーカ機構７０は、流水路７１ａと、流水路７１ａと外部とを連通する吸気通路７１ｂとが形成された筒体７１と、上流側が流水路７１ａ内で筒体７１に設けられ、下流側が流水路７１ａ内で閉塞又は開放可能なパッキン７２とを有する。少なくとも第２給水管４０の外周には吸気通路７１ｂを逆流する溢れ水と少なくとも第２給水管４０で生じる結露水とを貯留し、貯留した水を吸気通路７１ｂに導く水受け部材１０１が設けられる。【選択図】図３
2008255660.tif 000002
【特許請求の範囲】
【請求項１】
流入口から流出口まで流路が延びる給水管に対し、止水弁機構、開閉弁機構及びバキュームブレーカ機構がこの順で設けられ、便器本体の便鉢に洗浄水を供給可能な便器洗浄装置において、
前記給水管は、設置時に前記流入口が下方を向き、前記止水弁機構が設けられた直線状の第１給水管と、該第１給水管と直交する直線状の接続管と、設置時に前記流出口が下方を向くように該接続管と直交し、上流側に前記開閉弁機構が設けられ、下流側に前記バキュームブレーカ機構が設けられた直線状の第２給水管とを有し、
該バキュームブレーカ機構は、前記流路の一部をなす流水路と、該流水路と外部とを連通する吸気通路とが形成された筒体と、
上流側が該流水路内で該筒体に設けられ、下流側が該流水路内で弾性力によって閉塞して該吸気通路を開放可能であるととともに該弾性力に抗して内部を流れる流水によって開放可能なパッキンとを有し、
少なくとも該第２給水管の外周には、該吸気通路を逆流する溢れ水と少なくとも該第２給水管で生じる結露水とを貯留し、貯留した水を該吸気通路に導く水受け部材が設けられていることを特徴とする便器洗浄装置。
【請求項２】
前記水受け部材は、前記吸気通路を上面に位置させる下部材と、内部が外部に連通するように該下部材と一体化され、少なくとも前記第２給水管を覆う上部材とからなる請求項１記載の便器洗浄装置。
【請求項３】
前記下部材は前記接続管の下方に連続している請求項２記載の便器洗浄装置。
【請求項４】
前記第１給水管には、前記止水弁機構より下流側からストレーナが直線方向で挿入されているとともに、該ストレーナを該直線方向で着脱可能とする蓋部が設けられ、
前記下部材は前記第１給水管の外周に連続している請求項３記載の便器洗浄装置。
【請求項５】
前記上部材は前記接続管及び前記第１給水管を覆っている請求項４記載の便器洗浄装置。
【請求項６】
前記第１給水管は前記接続管の一部を一体に有し、前記第２給水管は該接続管の残部を一体に有し、該接続管の一部と該接続管の残部とは回転不能に結合されている請求項４又は５記載の便器洗浄装置。
【請求項７】
前記接続管には流量調整弁機構が設けられている請求項１乃至６のいずれか１項記載の便器洗浄装置。
【発明の詳細な説明】
【技術分野】
【０００１】
本発明は便器洗浄装置に関する。
【背景技術】
【０００２】
特許文献１に従来の便器洗浄装置が開示されている。この便器洗浄装置は、流入口から流出口まで流路が延びる給水管を備えており、給水管に対して止水弁機構、開閉弁機構及びバキュームブレーカ機構がこの順で設けられたものである。
【０００３】
より詳しくは、給水管は設置時に流入口が下方を向き、止水弁機構が設けられた直線状の第１給水管と、この第１給水管と直交する直線状の接続管と、設置時に流出口が下方を向くように接続管と直交し、上流側に開閉弁機構が設けられ、下流側にバキュームブレーカ機構が設けられた直線状の第２給水管とを有している。
【０００４】
バキュームブレーカ機構は、筒体とパッキンとを有している。筒体には、流路の一部をなす流水路と、この流水路と外部とを連通する吸気通路とが形成されている。パッキンは、上流側が流水路内で筒体に設けられ、下流側が流水路内で弾性力によって閉塞して吸気通路を開放可能であるととともに弾性力に抗して内部を流れる流水によって開放可能なものである。
【０００５】
また、この便器洗浄装置では、第２給水管の外周に水受け部材が設けられている。この水受け部材は、吸気通路を上面に位置させる下部材と、この下部材の上方に下部材と離れて設けられ、下部材より大径の上部材とからなる。
【０００６】
このような構成である従来の便器洗浄装置では、便器本体の長時間の不使用時において、止水弁機構が流路を上流側で遮断して止水を行う。また、便器本体の使用時には、開閉弁機構が流路の遮断と開放とを切り替え、便器本体の便鉢に洗浄水を適宜供給可能となっている。バキュームブレーカ機構は、上流側で負圧が発生した場合、外気を吸気通路により給水管内に導入して負圧を解消し、水が逆流することを防止する。
【０００７】
また、この便器洗浄装置では、バキュームブレーカ機構の吸気通路を逆流する溢れ水がまずは水受け部材の下部材に貯留される。バキュームブレーカ機構では、上流側の開閉弁機構が開かれ、洗浄水が筒体内の流水路を下流に向かって流れておれば、パッキンが吸気通路を閉塞しているが、開閉弁機構が閉じられ、洗浄水が筒体内の流水路を流れていないのであれば、パッキンが吸気通路を開放する。このため、下部材に貯留された溢れ水は、開閉弁機構が閉じている間に吸気通路を介して流水路に導かれる。
【０００８】
こうして、この便器洗浄装置では、バキュームブレーカ機構の溢れ水が下方の床面に滴下することを防止できる。また、この便器洗浄装置では、水の処理のために別途ホース等を設ける必要がないことから、便器本体回りの外観が維持される。
【０００９】
【特許文献１】特開２００３−４２３２２号公報
【発明の開示】
【発明が解決しようとする課題】
【００１０】
しかしながら、給水管の外部には、バキュームブレーカ機構の吸気通路から漏出する漏れ水ばかりでなく、給水管の表面に結露する結露水も存在し得る。この点、上記従来の便器洗浄装置では、下部材の上方に上部材が設けられており、この上部材が下部材より大径であることから、第２給水管で生じる結露水を下部材で受けることができない。このため、この便器洗浄装置では、溢れ水の床面への滴下は防止できるものの、結露水の床面への滴下を生じるおそれがある。
【００１１】
本発明は、上記従来の実情に鑑みてなされたものであって、便器本体回りの外観を損なうことなく、床面への水の滴下をより生じない便器洗浄装置を提供することを解決すべき課題としている。
【課題を解決するための手段】
【００１２】
本発明の便器洗浄装置は、流入口から流出口まで流路が延びる給水管に対し、止水弁機構、開閉弁機構及びバキュームブレーカ機構がこの順で設けられ、便器本体の便鉢に洗浄水を供給可能な便器洗浄装置において、
前記給水管は、設置時に前記流入口が下方を向き、前記止水弁機構が設けられた直線状の第１給水管と、該第１給水管と直交する直線状の接続管と、設置時に前記流出口が下方を向くように該接続管と直交し、上流側に前記開閉弁機構が設けられ、下流側に前記バキュームブレーカ機構が設けられた直線状の第２給水管とを有し、
該バキュームブレーカ機構は、前記流路の一部をなす流水路と、該流水路と外部とを連通する吸気通路とが形成された筒体と、
上流側が該流水路内で該筒体に設けられ、下流側が該流水路内で弾性力によって閉塞して該吸気通路を開放可能であるととともに該弾性力に抗して内部を流れる流水によって開放可能なパッキンとを有し、
少なくとも該第２給水管の外周には、該吸気通路を逆流する溢れ水と少なくとも該第２給水管で生じる結露水とを貯留し、貯留した水を該吸気通路に導く水受け部材が設けられていることを特徴とする。
【００１３】
このような構成である本発明の便器洗浄装置では、バキュームブレーカ機構の吸気通路を逆流する溢れ水ばかりでなく、第２給水管の表面に結露する結露水も漏らすことなくまずは水受け部材で貯留することができる。このため、水受け部材に貯留された溢れ水及び結露水は、床面に滴下することなく、開閉弁機構が閉じている間に吸気通路を介して流水路に導かれる。また、この便器洗浄装置では、水の処理のために別途ホース等を設ける必要がないことから、便器本体回りの外観が維持される。
【００１４】
したがって、本発明の便器洗浄装置は、便器本体回りの外観を損なうことなく、床面への水の滴下をより防止することが可能である。
【００１５】
水受け部材は、吸気通路を上面に位置させる下部材と、内部が外部に連通するように下部材と一体化され、少なくとも第２給水管を覆う上部材とからなることが好ましい。上部材がない場合には、下部材に外部から埃やゴミ等が付着し易く、極端な場合には吸気通路を介した水の還流が阻害されることとなる。この点、上部材があれば、埃等が下部材に蓄積されることがなく、水の還流を維持することが可能である。
【００１６】
本発明の便器洗浄装置において、下部材は接続管の下方に連続していることが好ましい。この場合、この便器洗浄装置は、給水管の外部に存在し得る結露水も下部材によって確実に受けることができる。このため、この便器洗浄装置は、本発明の作用効果を確実に奏することができる。
【００１７】
本発明の便器洗浄装置において、第１給水管には、止水弁機構より下流側からストレーナが直線方向で挿入されているとともに、ストレーナを直線方向で着脱可能とする蓋部が設けられ、下部材は第１給水管の外周に連続していることが好ましい。
【００１８】
この場合、この便器洗浄装置は、第１給水管の外部に存在し得る結露水も一層確実に受けることができる。さらに、この便器洗浄装置は、蓋部を取り外してストレーナを着脱する際に水が溢れたとしても、その水を下部材により受けることができる。このため、この便器洗浄装置は、本発明の作用効果を一層確実に奏することができる。
【００１９】
上部材は接続管及び第１給水管を覆っていることが好ましい。この場合、接続管及び第１給水管側においても、埃等が下部材に蓄積されることがなく、水の還流を維持することが可能である。また、下部材と上部材とが箱型に一体化されるため、優れた外観も呈する。
【００２０】
本発明の便器洗浄装置において、第１給水管は接続管の一部を一体に有し、第２給水管は接続管の残部を一体に有し、接続管の一部と接続管の残部とは回転不能に結合されていることが好ましい。この場合、この便器洗浄装置は、部品点数を削減できるとともに、第１給水管、接続管及び第２給水管を一体に組み付ける作業、及び一体に組み付けられた第１給水管、接続管及び第２給水管に水受け部材を装着する作業を容易に実施できる。このため、この便器洗浄装置は、製品コストの低廉化を図ることができる。
【００２１】
本発明の便器洗浄装置において、接続管には流量調整弁機構が設けられていることが好ましい。この場合、この便器洗浄装置は、流量調整弁機構により洗浄水の流量を調整することができる。また、この便器洗浄装置において、第１給水管が接続管の一部を一体に有し、第２給水管が接続管の残部を一体に有し、接続管の一部と接続管の残部とが回転不能に結合される構成である場合には、接続管の一部と接続管の残部との間に、流量調整弁機構を配置することにより、流量調整弁機構を接続管内に配置する作業を容易に実施できる。
【発明を実施するための最良の形態】
【００２２】
以下、本発明を具体化した実施例を図面を参照しつつ説明する。
【実施例】
【００２３】
図１に示すように、実施例の便器洗浄装置１は、洋風水洗式便器において、便器本体２の便鉢２ａの上流側に取り付けられ、便鉢２ａに洗浄水を供給するものである。この便器洗浄装置１は、図２及び図３に示すように、第１給水管２０と接続管３０と第２給水管４０とを有する給水管１０を備えている。また、便器洗浄装置１には、詳細を後述する水受け部材１０１が設けられている。
【００２４】
図３に示すように、給水管１０には、流入口１１から第１給水管２０、接続管３０及び第２給水管４０を経由して流出口１２まで延びる略Ｕ字状の流路１０ａ（図３中、二点鎖線で示す。）が形成されている。流入口１１は、図１に示すように、設置時には下方を向いた状態で、便器本体２の設置場所に設けられる水道管（図示しない）に止水栓（図示しない）及びフレキシブルホース９を介して接続されるものである。流出口１２は、設置時には下方を向いた状態で、エゼクタ６、水タンク７及び接続管８を介して、便鉢２ａの貫通孔２ｂに設けられたノズル８ａに接続される。エゼクタ６と水タンク７とは、便鉢２ａに洗浄水を供給する際、洗浄水を増量して便鉢２ａを洗浄するものである。なお、流出口１２は、エゼクタ６と水タンク７とを介さずに、接続管８及びノズル８ａに接続されていてもよい。
【００２５】
図３に示すように、第１給水管２０は、流入口１１側から下流側に向かって第１ボール弁筒体５１、第２ボール弁筒体５２、第１給水管本体２１及び蓋部２２が組み付けられてなる構成であり、流入口１１から直線Ｓ１方向に延在する直線状の筒体である。
【００２６】
筒状の第１ボール弁筒体５１及び第２ボール弁筒体５２が嵌め合わされて形成される内部空間５０ａ内には、直線Ｓ１方向に直交する方向を回転軸とする球状の弁体５３と、弁体５３を前記回転軸回りで回転可能に支持しつつ、弁体５３と内部空間５０ａとの隙間をシールするシール部材５４ａ、５４ｂとが配設されている。弁体５３は、図２に示すように、筒状の第１ボール弁筒体５１の外部に突出する操作軸５５と接続されており、操作軸５５を回転させて、弁体５３を図３に示す状態から９０°回転させることにより、弁体５３に形成された貫通孔５３ａと、第１ボール弁筒体５１及び第２ボール弁筒体５２の内筒面とが直線状に挿通するようになっている。
【００２７】
上記第１ボール弁筒体５１、第２ボール弁筒体５２、弁体５３及びシール部材５４ａ、５４ｂ等により、止水弁機構５０が構成されている。そして、止水弁機構５０は、便器の不使用時に止水するため、流路１０ａを上流側である流入口１１付近で遮断することが可能となっている。
【００２８】
第１給水管本体２１は、直線Ｓ１方向に延在する筒体の中間付近から直線Ｓ１方向と直交する方向に延在する筒状の第１接続部２１ａが一体に形成されたＴ字状のものである。第１接続部２１ａは、後述するストレーナ８０より下流側に位置するものであり、この第１接続部２１ａが後述する接続管３０の一部に相当する。
【００２９】
第１給水管本体２１の流入口１１側は、第２ボール弁筒体５２の内筒に挿入されて、第２ボール弁筒体５２と嵌合している。そして、クリップ５６により、第１給水管本体２１の流入口１１側と第２ボール弁筒体５２とが離反しないように係止固定されている。
【００３０】
蓋部２２は、第１給水管本体２１の流入口１１と反対側（直線Ｓ１方向の下流側）に、螺合により着脱可能に設けられている。止水弁機構５０と蓋部２２との間には、直線Ｓ１方向に延在する円筒状のストレーナ８０が配設されている。このストレーナ８０は、後述する開閉弁機構６０及びバキュームブレーカ機構７０よりも上流側において洗浄水に混入し得るゴミ等の異物を濾過することにより、異物が開閉弁機構６０及びバキュームブレーカ機構７０に不具合を生じさせることを防止するものである。
【００３１】
ストレーナ８０は、図５に示すように、蓋部２２を取り外した状態で、止水弁機構５０より下流側から直線Ｓ１方向で挿入されると、ストレーナ８０の上流側端部が第１給水管本体２１の内部に形成された段部２１ｄに当て止まった状態となる。そして、蓋部２２を第１給水管本体２１に螺合させることにより、ストレーナ８０の下流側端部が蓋部２２の内部に形成された段部２２ｄに当て止まった状態となる。こうして、ストレーナ８０は、第１給水管本体２１内に装着される。
【００３２】
図２及び図３に示すように、第２給水管４０は、流出口１２側から上流側に向かって流出口筒体４４、接続管４３、バキュームブレーカ筒体７１、第２給水管本体４１及び開閉弁機構マウント部材６６等が組み付けられてなる構成であり、直線Ｓ１方向と平行に延在し、流出口１２が流入口１１と同方向に開口する直線状の筒体である。
【００３３】
筒状の第２給水管本体４１の内部には、筒状の開閉弁筒体６１が配置され、開閉弁機構マウント部材６６の第２給水管本体４１に対面する側には、開閉弁筒体６１に着座又は離座可能な略円盤状の弁体６２が配設されている。弁体６２の背面側には、第２給水管本体４１と開閉弁機構マウント部材６６とにより容積可変空間６２ａが形成されている。また、第２給水管本体４１と開閉弁機構マウント部材６６とには容積可変空間６２ａを密閉するパッキン６３が挟持されており、弁体６２はこのパッキン６３に固定されて容積可変空間６２ａを上下動するようになっている。容積可変空間６２ａ内には弁体６２を開閉弁筒体６１に着座させる方向に付勢力をもつばね６８が収納されている。また、弁体６２には開閉弁筒体６１の外側と容積可変空間６２ａとを連通する小孔６９が形成されている。開閉弁機構マウント部材６６の弁体６２と反対側には、ソレノイド６７が配設されている。ソレノイド６７は、第２給水管本体４１の下流側の流路１０ａから開閉弁機構マウント部材６６と弁体６２とで形成される容積可変空間６２ａ内に連通する挿通路６５を遮断又は開放可能とされている。
【００３４】
上記の開閉弁筒体６１、開閉弁機構マウント部材６６、弁体６２、ソレノイド６７、容積可変空間６２ａ及び挿通路６５等により、開閉弁機構６０が構成されている。そして、開閉弁機構６０において、ソレノイド６７が挿通路６５を開放すれば、容積可変空間６２ａが流路１０ａの下流側と挿通路６５を介して連通し、弁体６２が上流側の水圧に押されて開閉弁筒体６１から離座して流路１０ａを開放する。他方、ソレノイド６７が挿通路６５を遮断すれば、弁体６２がばね６８に押され、容積可変空間６２ａ内に小孔６９から水が流入する。その結果、弁体６２は、開閉弁筒体６１に着座し、流路１０ａを遮断する。
【００３５】
図４に拡大して示すように、バキュームブレーカ筒体７１は、流路１０ａの一部をなす流水路７１ａと、流水路７１ａと外部とを連通する吸気通路７１ｂとが形成されたものである。流水路７１ａ内には、弾性材料からなる略円筒状のパッキン７２が配設されている。
【００３６】
パッキン７２は、上流側が流水路７１ａ内でバキュームブレーカ筒体７１に固定され、下流側が流水路７１ａ内で弾性力によって閉塞して吸気通路７１ｂを開放可能であるととともに弾性力に抗して内部を流れる流水によって開放可能なものである。パッキン７２の下流側が開放すれば、パッキン７２の外周面が吸気通路７１ｂに当接して、吸気通路７１ｂを閉塞するようになっている。
【００３７】
上記のバキュームブレーカ筒体７１及びパッキン７２により、バキュームブレーカ機構７０が構成されている。このバキュームブレーカ機構７０は、流路１０ａの上流側で負圧が発生した場合、図４の経路Ｐ１、Ｐ２に示すように、吸気通路７１ｂを介して、外気を流水路７１ａ内に導入して負圧を解消し、水が逆流することを防止可能となっている。
【００３８】
図５に示すように、第２給水管本体４１の開閉弁機構６０より上流側には、直線Ｓ１方向と直交する方向、かつ上述の第１接続部２１ａと同軸で対面し得る方向に延在する筒状の第２接続部４０ａが形成され、第２接続部４０ａには内筒４０ｂが嵌合固定されている。この第２接続部４０ａ及び内筒４０ｂが後述する接続管３０の残部に相当する。
【００３９】
図２及び図３に示すように、接続管３０は、接続管３０の一部としての第１接続部２１ａと、接続管３０の残部としての第２接続部４０ａ及び内筒４０ｂとが結合されることにより構成され、直線Ｓ１方向と直交する方向に延在し、第１給水管２０と第２給水管４０とを連通させる直線状の筒体である。
【００４０】
接続管３０の中央部には、流量調整弁機構９０が直線Ｓ１方向と直交する方向を向いた状態で配設されている。流量調整弁機構９０は周知のものであり、開閉弁機構６０が流路１０ａを開放した後、洗浄水が所望の流量で流出口１２から流出するように調整するものである。
【００４１】
図５に示すように、第１接続部２１ａと第２接続部４０ａ及び内筒４０ｂとは、流量調整弁機構９０を中間に位置させつつ、同軸で対面する状態とした上で、第２接続部４０ａ及び内筒４０ｂに配設された袋ナット３５が第１接続部２１ａの外周側に形成されたねじ部２１ｂに螺合されることにより結合され、さらに、第１接続部２１ａと第１接続部４０ａ及び内筒４０ｂとの間に介在するＯリング３５ａによって水密状態が維持されるようになっている。
【００４２】
なお、袋ナット３５をねじ部２１ｂに螺合する際、第１接続部２１ａと第２接続部４０ａ及び内筒４０ｂとが対面する位置関係が捩れることのないように、双方を回り止めする回り止め機構３６が設けられている。
【００４３】
回り止め機構３６は、第１接続部２１ａから径方向外側に突出する支持部３６ａと、内筒４０ｂから径方向外側に突出する支持部３６ｂと、支持部３６ａ、３６ｂに挿通されるピン３６ｃにより構成されている。そして、回り止め機構３６により双方を回り止めした状態で、袋ナット３５をねじ部２１ｂに螺合することにより、流入口１１と流出口１２とを同方向に開口する状態とし、第１給水管２０、接続管３０及び第２給水管４０を略Ｕ次形状とすることを容易に実現可能となっている。
【００４４】
図２及び図３に示すように、第１給水管２０、接続管３０及び第２給水管４０の下方には、水受け部材１０１が設けられている。水受け部材１０１は、平たい底面の周囲を囲む側壁が形成された受け皿形状の下部材１０１ａと、下部材１０１ａと一体化された上部材１０１ｂとからなる。上部材１０１ｂの側面には微小な大気口１０１ｃが貫設されており、この大気口１０１ｃにより下部材１０１ａと上部材１０１ｂの内部は外部に連通されている。
【００４５】
下部材１０１ａの底面には、第１給水管２０の流入口１１側を挿通させる開口部１００ｂと、第２給水管４０の流出口１２側を挿通させる開口部１００ａとが形成されている。
【００４６】
第１給水管本体２１と開口部１００ｂとの間には双方の間を封止する円環状のパッキン１００ｄが配設され、バキュームブレーカ筒体７１と開口部１００ｂとの間には双方の間を封止する円環状のパッキン１００ｃが配設されている。
【００４７】
図４に示すように、パッキン１００ｃは、吸気通路７１ｂより下方に配置されているので、下部材１０１ａに溜まった水は、図４の経路Ｐ１、Ｐ２に示すように、吸気通路７１ｂに導かれ、さらに、流水路７１ａに流入するようになっている。
【００４８】
このような構成である実施例の便器洗浄装置１は、図１〜図３に示すように、第１給水管２０が流路１０ａの上流側、すなわち流入口１１を下方に向けた状態で垂直に配置される設置方法により便器本体２に装着される。この際、蓋部２２は、第１給水管２０の最上端に位置する。また、水受け部材１０１の下部材１０１ａは、第１給水管２０、接続管３０及び第２給水管４０の下方に位置する。そして、第１給水管２０、接続管３０及び第２給水管４０の上方には、下方に開口縁を有する箱状の上部材１０１ｂが第１給水管２０、接続管３０及び第２給水管４０に覆いかぶさるように配設されている。上部材１０１ｂの開口縁は、下部材１０１ａの側壁の上端縁と当接固定されるようになっており、下部材１０１ａに外部から埃やゴミ等が付着しないようにしている。
【００４９】
そして、止水弁機構５０が流路１０ａを開放した状態において、便器本体２の使用時に開閉弁機構６０が流路１０ａを開放すれば、流量調整弁機構９０により所望の流量に調整された洗浄水が便器本体２の便鉢２ａに供給されるようになっている。
【００５０】
ここで、実施例の便器洗浄装置１においては、給水管１０は、設置時に流入口１１が下方を向き、止水弁機構５０が設けられた直線状の第１給水管２０と、第１給水管２０と直交する直線状の接続管３０と、設置時に流出口１２が下方を向くように接続管３０と直交し、上流側に開閉弁機構６０が設けられ、下流側にバキュームブレーカ機構７０が設けられた直線状の第２給水管４０とを有している。
【００５１】
そして、バキュームブレーカ機構７０は、流路１０ａの一部をなす流水路７１ａと、流水路７１ａと外部とを連通する吸気通路７１ｂとが形成されたバキュームブレーカ筒体７１と、上流側が流水路７１ａ内でバキュームブレーカ筒体７１に設けられ、下流側が流水路７１ａ内で弾性力によって閉塞して吸気通路７１ｂを開放可能であるととともに弾性力に抗して内部を流れる流水によって開放可能なパッキン７２とを有している。
【００５２】
さらに、少なくとも第２給水管４０の外周には、吸気通路７１ｂに水を導く水受け部材１０１が設けられている。このため、この便器洗浄装置１では、バキュームブレーカ機構７０の吸気通路７１ｂを逆流する溢れ水ばかりでなく、第１給水管２０、接続管３０及び第２給水管４０の表面に結露する結露水も漏らすことなくまずは下部材１０１ａで貯留することができる。このため、下部材１０１ａに貯留された溢れ水及び結露水は、床面に滴下することなく、開閉弁機構６０が閉じている間に吸気通路７１ｂを介して流水路７１ａに導かれる。
【００５３】
また、この便器洗浄装置１では、水受け部材１０１が下部材１０１ａと上部材１０１ｂとからなるため、埃等が下部材１０１ａに蓄積されることがなく、水の還流を維持することが可能である。
【００５４】
また、この便器洗浄装置１において、第１給水管２０には、止水弁機構５０より下流側からストレーナ８０が直線Ｓ１方向で挿入されているとともに、ストレーナ８０を直線Ｓ１方向で着脱可能とする蓋部２２が設けられ、水受け部材１０１は第１給水管２０の外周に連続している。このため、この便器洗浄装置１は、第２給水管４０及び接続管２０の外周からさらに第１給水管２０の外周に連続する水受け部材１０１により、給水管１０の外部に存在し得る水を一層確実に受けることが可能となっている。さらに、この便器洗浄装置１は、蓋部２２を取り外してストレーナ８０を着脱する際に水が溢れたとしても、水受け部材１０１により受けることができる。このため、この便器洗浄装置１は、本発明の作用効果を一層確実に奏することができる。
【００５５】
さらに、この便器洗浄装置１では、水の処理のために別途ホース等を設ける必要がないことから、便器本体２回りの外観が維持される。
【００５６】
したがって、この便器洗浄装置１は、便器本体２回りの外観を損なうことなく、床面への水の滴下をより防止することが可能である。
【００５７】
また、この便器洗浄装置１において、第１給水管２０は接続管３０の一部としての第１接続部２１ａを一体に有し、第２給水管４０は接続管３０の残部としての第２接続部４０ａ及び内筒４０ｂを一体に有し、第１接続部２１ａと第２接続部４０ａとは回り止め機構３６及び袋ナット３５により回転不能に結合されている。このため、この便器洗浄装置１は、部品点数を削減できているとともに、第１給水管２０、接続管３０及び第２給水管４０を一体に組み付ける作業、及び一体に組み付けられた第１給水管２０、接続管３０及び第２給水管４０に水受け部材１０１を装着する作業を容易に実施できる。特に、回り止め機構３６により、流入口１１と流出口１２とが同一方向を向くようにすることを確実に実現できるので、水受け部材１０１の開口部１００ａ、１００ｂに第１給水管２０及び第２給水管４０を挿入する作業がし易くなっている。このため、この便器洗浄装置１は、製品コストの低廉化を図ることが可能となっている。
【００５８】
さらに、この便器洗浄装置１において、接続管３０には流量調整弁機構９０が設けられている。このため、この便器洗浄装置１は、流量調整弁機構９０により洗浄水の流量を調整することが可能となっている。また、この便器洗浄装置１は、第１給水管２０の第１接続部２１ａと第２接続部４０ａとの間に流量調整弁機構９０を配置することにより、流量調整弁機構９０を接続管３０内に配置する作業を容易に実施可能となっている。
【００５９】
以上において、本発明を実施例に即して説明したが、本発明は上記実施例に制限されるものではなく、その趣旨を逸脱しない範囲で適宜変更して適用できることはいうまでもない。
【産業上の利用可能性】
【００６０】
本発明は洋風水洗式便器に利用可能である。
【図面の簡単な説明】
【００６１】
【図１】実施例の便器洗浄装置が適用された洋風水洗式便器の断面図である。
【図２】実施例の便器洗浄装置の斜視図である。
【図３】実施例の便器洗浄装置の断面図である。
【図４】実施例の便器洗浄装置の要部拡大断面図である。
【図５】実施例の便器洗浄装置に係り、各構成部材を組み付ける前の状態を示す断面図である。
【符号の説明】
【００６２】
１…便器洗浄装置
２…便器本体
２ａ…便鉢
１０…給水管
１０ａ…流路
１１…流入口
１２…流出口
２０…第１給水管
２１ａ…接続管の一部（２１ａ…第１接続部）
２２…蓋部
３０…接続管
３６…回り止め機構
４０…第２給水管
４０ａ、４０ｂ…接続管の残部（４０ａ…第２接続部、４０ｂ…内筒）
５０…止水弁機構
６０…開閉弁機構
７０…バキュームブレーカ機構
７１…筒体（バキュームブレーカ筒体）
７１ａ…流水路
７１ｂ…吸気通路
７２…パッキン
８０…ストレーナ
９０…流量調整弁機構
１０１…水受け部材
１０１ａ…下部材
１０１ｂ…上部材
【図１】
2008255660.tif 000003
【図２】
2008255660.tif 000004
【図３】
2008255660.tif 000005
【図４】
2008255660.tif 000006
【図５】
2008255660.tif 000007